(57)【要約】【課題】待ち時間等、ユーザが停止状態にあるときに配信情報を配信し、配信情報の閲覧や聴取の確率を増大させる。【解決手段】所定の場所に設置されたトリガー装置１０からの近距離無線によるトリガー情報を受信したユーザ端末２０がユーザの停止／移動状態を監視し、一定時間内にユーザ停止状態を検知した場合に、情報配信サーバ３０にアクセスしてトリガー情報を送信し、トリガー情報を基に情報配信サーバ３０で抽出された配信情報をユーザ端末２０が受信し表示，再生する。ユーザ端末２０は配信情報受信後にユーザ移動状態を検出すると、配信情報の表示，再生を終了する。【選択図】      図１
2006268183.tif 000002
【特許請求の範囲】
【請求項１】
トリガー装置と、ユーザ端末と、前記ユーザ端末に接続される情報配信サーバとを備えた停止時情報配信システムであって、
前記トリガー装置は、トリガー情報を常時または所定の時間間隔で近距離無線により周辺に送信する手段を有し、
前記ユーザ端末は、近距離無線によりトリガー情報を受信してユーザが停止状態であるかを監視する手段と、トリガー情報を受信して一定時間内にユーザ停止状態を検知したときに前記情報配信サーバにトリガー情報を送信する手段と、前記情報配信サーバから受信した配信情報を表示，再生する手段とを有し、
前記情報配信サーバは、トリガー情報を受信して対応する配信情報を抽出する手段と、抽出した配信情報を前記ユーザ端末に送信する手段とを有することを特徴とする停止時情報配信システム。
【請求項２】
トリガー装置と、ユーザ端末と、前記ユーザ端末に接続される情報配信サーバとを備えた停止時情報配信システムであって、
前記トリガー装置は、交通信号が停止信号に切り替わったことを検出してトリガー情報を近距離無線により周辺に送信する手段と、交通信号が停止信号から他の信号に切り替わったことを検出してトリガー情報の送信を停止する手段とを有し、
前記ユーザ端末は、近距離無線によりトリガー情報を受信してユーザが停止状態であるかを監視する手段と、トリガー情報を受信して一定時間内にユーザ停止状態を検知したときに前記情報配信サーバにトリガー情報を送信する手段と、前記情報配信サーバから受信した配信情報を表示，再生する手段とを有し、
前記情報配信サーバは、トリガー情報を受信して対応する配信情報を抽出する手段と、抽出した配信情報を前記ユーザ端末に送信する手段とを有することを特徴とする停止時情報配信システム。
【請求項３】
前記トリガー装置は、交通信号が停止信号から他の信号に切り替わったときに、停止信号終了情報を近距離無線により周辺に送信する手段をさらに有し、前記ユーザ端末は、前記トリガー装置から停止信号終了情報を受信した時点で配信情報の表示，再生を終了する手段をさらに有することを特徴とする請求項２記載の停止時情報配信システム。
【請求項４】
交通信号装置と、トリガー装置と、ユーザ端末と、前記ユーザ端末に接続される情報配信サーバとを備えた停止時情報配信システムであって、
前記交通信号装置は、交通信号が停止信号に切り替わったときに停止信号情報を前記トリガー装置に送信する手段と、停止信号から他の信号に切り替わったときに停止信号終了情報を前記トリガー装置に送信する手段とを有し、
前記トリガー装置は、停止信号情報を受信してトリガー情報を近距離無線により周辺に送信する手段と、停止信号終了情報を受信してトリガー情報の送信を停止する手段とを有し、
前記ユーザ端末は、近距離無線によりトリガー情報を受信してユーザが停止状態であるかを監視する手段と、トリガー情報を受信して一定時間内にユーザ停止状態を検知したときに前記情報配信サーバにトリガー情報を送信する手段と、前記情報配信サーバから受信した配信情報を表示，再生する手段とを有し、
前記情報配信サーバは、トリガー情報を受信して対応する配信情報を抽出する手段と、抽出した配信情報を前記ユーザ端末に送信する手段とを有することを特徴とする停止時情報配信システム。
【請求項５】
前記トリガー装置は、停止信号終了情報を受信したときに、受信した停止信号終了情報を近距離無線により周辺に送信する手段をさらに有し、前記ユーザ端末は、前記トリガー装置から停止信号終了情報を受信した時点で配信情報の表示，再生を終了する手段をさらに有することを特徴とする請求項４記載の停止時情報配信システム。
【請求項６】
前記ユーザ端末は、配信情報受信後にユーザの移動状態を検知した時点で配信情報の表示，再生を終了する手段をさらに有することを特徴とする請求項１〜５のいずれか１項記載の停止時情報配信システム。
【請求項７】
前記ユーザ端末は、前記情報配信サーバにトリガー情報を送信するときにユーザ情報を併せて送信し、前記情報配信サーバは、トリガー情報に対応して登録されている情報の内、ユーザ情報を満たす情報を配信情報として抽出することを特徴とする請求項１〜６のいずれか１項記載の停止時情報配信システム。
【請求項８】
情報配信サーバに接続されるユーザ端末であって、
近距離無線により送信される外部装置からのトリガー情報を受信してユーザが停止状態であるかを監視する手段と、トリガー情報を受信して一定時間内にユーザ停止状態を検知したときに前記情報配信サーバにトリガー情報を送信する手段と、前記情報配信サーバから受信した配信情報を表示，再生する手段とを有することを特徴とするユーザ端末。
【請求項９】
配信情報受信後にユーザの移動状態を検知した時点で配信情報の表示，再生を終了する手段をさらに有することを特徴とする請求項８記載のユーザ端末。
【請求項１０】
前記外部装置から終了情報を受信した時点で配信情報の表示，再生を終了する手段をさらに有することを特徴とする請求項８または９記載のユーザ端末。
【請求項１１】
所定の場所に設置されたトリガー装置からの近距離無線によるトリガー情報を受信したユーザ端末がユーザの停止／移動状態を監視し、一定時間内にユーザ停止状態を検知した場合に情報配信サーバにトリガー情報を送信し、トリガー情報を基に前記情報配信サーバで抽出された配信情報を前記ユーザ端末が受信し表示，再生することを特徴とする停止時情報配信方法。
【請求項１２】
トリガー装置と、ユーザ端末と、前記ユーザ端末に接続される情報配信サーバとを用いた停止時情報配信方法であって、
前記トリガー装置が常時または所定の時間間隔でトリガー情報を近距離無線により周辺に送信するステップと、前記ユーザ端末が近距離無線によりトリガー情報を受信してユーザが停止状態であるかを監視するステップと、前記ユーザ端末がトリガー情報を受信して一定時間内にユーザ停止状態を検知したときに前記情報配信サーバにトリガー情報を送信するステップと、前記情報配信サーバがトリガー情報を受信して対応する配信情報を抽出し、抽出した配信情報を前記ユーザ端末に送信するステップと、前記ユーザ端末が受信した配信情報を表示，再生するステップとを有することを特徴とする停止時情報配信方法。
【請求項１３】
トリガー装置と、ユーザ端末と、前記ユーザ端末に接続される情報配信サーバとを用いた停止時情報配信方法であって、
前記トリガー装置が、交通信号が停止信号に切り替わったことを検出してトリガー情報を近距離無線により周辺に送信するステップと、前記トリガー装置が、交通信号が停止信号から他の信号に切り替わったことを検出してトリガー情報の送信を停止するステップと、前記ユーザ端末が近距離無線によりトリガー情報を受信してユーザが停止状態であるかを監視するステップと、前記ユーザ端末がトリガー情報を受信して一定時間内にユーザ停止状態を検知したときに前記情報配信サーバにトリガー情報を送信するステップと、前記情報配信サーバがトリガー情報を受信して対応する配信情報を抽出し、抽出した配信情報を前記ユーザ端末に送信するステップと、前記ユーザ端末が受信した配信情報を表示，再生するステップとを有することを特徴とする停止時情報配信方法。
【請求項１４】
トリガー装置と、ユーザ端末と、前記ユーザ端末に接続される情報配信サーバとを用いた停止時情報配信方法であって、
前記トリガー装置が、交通信号が停止信号に切り替わったことを検出してトリガー情報を近距離無線により周辺に送信するステップと、前記ユーザ端末が近距離無線によりトリガー情報を受信してユーザが停止状態であるかを監視するステップと、前記ユーザ端末がトリガー情報を受信して一定時間内にユーザ停止状態を検知したときに前記情報配信サーバにトリガー情報を送信するステップと、前記情報配信サーバがトリガー情報を受信して対応する配信情報を抽出し、抽出した配信情報を前記ユーザ端末に送信するステップと、前記ユーザ端末が受信した配信情報を表示，再生するステップと、前記トリガー装置が、交通信号が停止信号から他の信号に切り替わったことを検出してトリガー情報の送信を停止するとともに、停止信号終了情報を近距離無線により周辺に送信するステップと、前記ユーザ端末が停止信号終了情報を受信した時点で配信情報の表示，再生を終了するステップとを有することを特徴とする停止時情報配信方法。
【請求項１５】
交通信号装置と、トリガー装置と、ユーザ端末と、前記ユーザ端末に接続される情報配信サーバとを用いた停止時情報配信方法であって、
前記交通信号装置が、交通信号が停止信号に切り替わったときに停止信号情報を前記トリガー装置に送信するステップと、停止信号情報を受信した前記トリガー装置が近距離無線によりトリガー情報を周辺に送信するステップと、前記ユーザ端末が近距離無線によりトリガー情報を受信してユーザが停止状態であるかを監視するステップと、前記ユーザ端末がトリガー情報を受信して一定時間内にユーザ停止状態を検知したときに前記情報配信サーバにトリガー情報を送信するステップと、前記情報配信サーバがトリガー情報を受信して対応する配信情報を抽出し、抽出した配信情報を前記ユーザ端末に送信するステップと、前記ユーザ端末が受信した配信情報を表示，再生するステップと、前記交通信号装置が、交通信号が停止信号から他の信号に切り替わったときに停止信号終了情報を前記トリガー装置に送信するステップと、停止信号終了情報を受信した前記トリガー装置がトリガー情報の送信を停止するステップとを有することを特徴とする停止時情報配信方法。
【請求項１６】
交通信号装置と、トリガー装置と、ユーザ端末と、前記ユーザ端末に接続される情報配信サーバとを用いた停止時情報配信方法であって、
前記交通信号装置が、交通信号が停止信号に切り替わったときに停止信号情報を前記トリガー装置に送信するステップと、停止信号情報を受信した前記トリガー装置が近距離無線によりトリガー情報を周辺に送信するステップと、前記ユーザ端末が近距離無線によりトリガー情報を受信してユーザが停止状態であるかを監視するステップと、前記ユーザ端末がトリガー情報を受信して一定時間内にユーザ停止状態を検知したときに前記情報配信サーバにトリガー情報を送信するステップと、前記情報配信サーバがトリガー情報を受信して対応する配信情報を抽出し、抽出した配信情報を前記ユーザ端末に送信するステップと、前記ユーザ端末が受信した配信情報を表示，再生するステップと、前記交通信号装置が、交通信号が停止信号から他の信号に切り替わったときに停止信号終了情報を前記トリガー装置に送信するステップと、停止信号終了情報を受信した前記トリガー装置がトリガー情報の送信を停止するとともに、停止信号終了情報を近距離無線により周辺に送信するステップと、前記ユーザ端末が停止信号終了情報を受信した時点で配信情報の表示，再生を終了するステップとを有することを特徴とする停止時情報配信方法。
【請求項１７】
前記ユーザ端末が配信情報受信後にユーザの移動状態を検知した時点で配信情報の表示，再生を終了するステップを、さらに有することを特徴とする請求項１２〜１６のいずれか１項記載の停止時情報配信方法。
【請求項１８】
近距離無線により送信される第１の外部装置からのトリガー情報を受信してユーザが停止状態であるかを監視する機能、トリガー情報を受信して一定時間内にユーザ停止状態を検知したときに第２の外部装置にトリガー情報を送信する機能、前記第２の外部装置から受信した配信情報を表示，再生する機能、をコンピュータに実現させるためのプログラム。
【請求項１９】
配信情報受信後にユーザの移動状態を検知した時点で配信情報の表示，再生を終了する機能をさらに有することを特徴とする請求項１８記載のプログラム。
【請求項２０】
前記外部装置から終了情報を受信した時点で配信情報の表示，再生を終了する機能をさらに有することを特徴とする請求項１８または１９記載のプログラム。
【発明の詳細な説明】
【技術分野】
【０００１】
本発明は、ユーザ端末への情報配信において、配信時のユーザの状態（移動中，停止状態等）を考慮に入れた停止時情報配信システム，方法，ユーザ端末およびプログラムに関する。
【背景技術】
【０００２】
ユーザ端末への情報配信の従来例は、例えば、特開２００３−２３３７５２号公報（特許文献１）に開示されている。この特許文献１においては、
・通路に設置された近距離通信ステーションが、付近を通過するユーザ端末に自ステーションの機器番号を送信し、
・ユーザ端末は受信した機器番号をサーバに送信し、
・サーバは受信した機器番号により位置情報を把握し、把握した位置情報周辺の店舗情報を抽出してユーザ端末に送信する、
ことが記載されている。
【０００３】
【特許文献１】特開２００３−２３３７５２号公報（段落「００３４」〜「００３５」，「００４０」〜「００４１」）
【発明の開示】
【発明が解決しようとする課題】
【０００４】
上述した特許文献１においては、近距離通信ステーションの近くをユーザが通過するだけで周辺店舗情報を一方的にプッシュ配信している。しかし、移動中であるユーザにとっては忙しく移動している最中に送られてくる店舗情報は煩わしく感じられるため、折角情報を配信してもユーザにすぐ閲覧してもらえる可能性は薄い。そして、すぐに閲覧してもらえなければ、ユーザはその地域から遠ざかっていってしまうため来店してもらえる可能性も少なくなるという問題がある。
【０００５】
本発明の目的は、上述した問題を解決する停止時情報配信システム，方法，ユーザ端末およびプログラムを提供することにある。
【課題を解決するための手段】
【０００６】
本発明の第１の停止時情報配信システムは、トリガー装置と、ユーザ端末と、前記ユーザ端末に接続される情報配信サーバとを備えた停止時情報配信システムであって、
前記トリガー装置は、トリガー情報を常時または所定の時間間隔で近距離無線により周辺に送信する手段を有し、
前記ユーザ端末は、近距離無線によりトリガー情報を受信してユーザが停止状態であるかを監視する手段と、トリガー情報を受信して一定時間内にユーザ停止状態を検知したときに前記情報配信サーバにトリガー情報を送信する手段と、前記情報配信サーバから受信した配信情報を表示，再生する手段とを有し、
前記情報配信サーバは、トリガー情報を受信して対応する配信情報を抽出する手段と、抽出した配信情報を前記ユーザ端末に送信する手段とを有する。
【０００７】
本発明の第２の停止時情報配信システムは、トリガー装置と、ユーザ端末と、前記ユーザ端末に接続される情報配信サーバとを備えた停止時情報配信システムであって、
前記トリガー装置は、交通信号が停止信号に切り替わったことを検出してトリガー情報を近距離無線により周辺に送信する手段と、交通信号が停止信号から他の信号に切り替わったことを検出してトリガー情報の送信を停止する手段とを有し、
前記ユーザ端末は、近距離無線によりトリガー情報を受信してユーザが停止状態であるかを監視する手段と、トリガー情報を受信して一定時間内にユーザ停止状態を検知したときに前記情報配信サーバにトリガー情報を送信する手段と、前記情報配信サーバから受信した配信情報を表示，再生する手段とを有し、
前記情報配信サーバは、トリガー情報を受信して対応する配信情報を抽出する手段と、抽出した配信情報を前記ユーザ端末に送信する手段とを有する。
【０００８】
本発明の第３の停止時情報配信システムは、本発明の第２の停止時情報配信システムにおいて、前記トリガー装置は、交通信号が停止信号から他の信号に切り替わったときに、停止信号終了情報を近距離無線により周辺に送信する手段をさらに有し、前記ユーザ端末は、前記トリガー装置から停止信号終了情報を受信した時点で配信情報の表示，再生を終了する手段をさらに有する。
【０００９】
本発明の第４の停止時情報配信システムは、交通信号装置と、トリガー装置と、ユーザ端末と、前記ユーザ端末に接続される情報配信サーバとを備えた停止時情報配信システムであって、
前記交通信号装置は、交通信号が停止信号に切り替わったときに停止信号情報を前記トリガー装置に送信する手段と、停止信号から他の信号に切り替わったときに停止信号終了情報を前記トリガー装置に送信する手段とを有し、
前記トリガー装置は、停止信号情報を受信してトリガー情報を近距離無線により周辺に送信する手段と、停止信号終了情報を受信してトリガー情報の送信を停止する手段とを有し、
前記ユーザ端末は、近距離無線によりトリガー情報を受信してユーザが停止状態であるかを監視する手段と、トリガー情報を受信して一定時間内にユーザ停止状態を検知したときに前記情報配信サーバにトリガー情報を送信する手段と、前記情報配信サーバから受信した配信情報を表示，再生する手段とを有し、
前記情報配信サーバは、トリガー情報を受信して対応する配信情報を抽出する手段と、抽出した配信情報を前記ユーザ端末に送信する手段とを有する。
【００１０】
本発明の第５の停止時情報配信システムは、本発明の第４の停止時情報配信システムにおいて、前記トリガー装置は、停止信号終了情報を受信したときに、受信した停止信号終了情報を近距離無線により周辺に送信する手段をさらに有し、前記ユーザ端末は、前記トリガー装置から停止信号終了情報を受信した時点で配信情報の表示，再生を終了する手段をさらに有する。
【００１１】
本発明の第６の停止時情報配信システムは、本発明の第１〜第５のいずれかの停止時情報配信システムにおいて、前記ユーザ端末は、配信情報受信後にユーザの移動状態を検知した時点で配信情報の表示，再生を終了する手段をさらに有する。
【００１２】
本発明の第７の停止時情報配信システムは、本発明の第１〜第６のいずれかの停止時情報配信システムにおいて、前記ユーザ端末は、前記情報配信サーバにトリガー情報を送信するときにユーザ情報を併せて送信し、前記情報配信サーバは、トリガー情報に対応して登録されている情報の内、ユーザ情報を満たす情報を配信情報として抽出することを特徴とする。
【００１３】
本発明の第１のユーザ端末は、情報配信サーバに接続されるユーザ端末であって、
近距離無線により送信される外部装置からのトリガー情報を受信してユーザが停止状態であるかを監視する手段と、トリガー情報を受信して一定時間内にユーザ停止状態を検知したときに前記情報配信サーバにトリガー情報を送信する手段と、前記情報配信サーバから受信した配信情報を表示，再生する手段とを有する。
【００１４】
本発明の第２のユーザ端末は、本発明の第１のユーザ端末において、配信情報受信後にユーザの移動状態を検知した時点で配信情報の表示，再生を終了する手段をさらに有する。
【００１５】
本発明の第３のユーザ端末は、本発明の第１または第２のユーザ端末において、前記外部装置から終了情報を受信した時点で配信情報の表示，再生を終了する手段をさらに有する。
【００１６】
本発明の第１の停止時情報配信方法は、所定の場所に設置されたトリガー装置からの近距離無線によるトリガー情報を受信したユーザ端末がユーザの停止／移動状態を監視し、一定時間内にユーザ停止状態を検知した場合に情報配信サーバにトリガー情報を送信し、トリガー情報を基に前記情報配信サーバで抽出された配信情報を前記ユーザ端末が受信し表示，再生することを特徴とする。
【００１７】
本発明の第２の停止時情報配信方法は、トリガー装置と、ユーザ端末と、前記ユーザ端末に接続される情報配信サーバとを用いた停止時情報配信方法であって、
前記トリガー装置が常時または所定の時間間隔でトリガー情報を近距離無線により周辺に送信するステップと、前記ユーザ端末が近距離無線によりトリガー情報を受信してユーザが停止状態であるかを監視するステップと、前記ユーザ端末がトリガー情報を受信して一定時間内にユーザ停止状態を検知したときに前記情報配信サーバにトリガー情報を送信するステップと、前記情報配信サーバがトリガー情報を受信して対応する配信情報を抽出し、抽出した配信情報を前記ユーザ端末に送信するステップと、前記ユーザ端末が受信した配信情報を表示，再生するステップとを有する。
【００１８】
本発明の第３の停止時情報配信方法は、トリガー装置と、ユーザ端末と、前記ユーザ端末に接続される情報配信サーバとを用いた停止時情報配信方法であって、
前記トリガー装置が、交通信号が停止信号に切り替わったことを検出してトリガー情報を近距離無線により周辺に送信するステップと、前記トリガー装置が、交通信号が停止信号から他の信号に切り替わったことを検出してトリガー情報の送信を停止するステップと、前記ユーザ端末が近距離無線によりトリガー情報を受信してユーザが停止状態であるかを監視するステップと、前記ユーザ端末がトリガー情報を受信して一定時間内にユーザ停止状態を検知したときに前記情報配信サーバにトリガー情報を送信するステップと、前記情報配信サーバがトリガー情報を受信して対応する配信情報を抽出し、抽出した配信情報を前記ユーザ端末に送信するステップと、前記ユーザ端末が受信した配信情報を表示，再生するステップとを有する。
【００１９】
本発明の第４の停止時情報配信方法は、トリガー装置と、ユーザ端末と、前記ユーザ端末に接続される情報配信サーバとを用いた停止時情報配信方法であって、
前記トリガー装置が、交通信号が停止信号に切り替わったことを検出してトリガー情報を近距離無線により周辺に送信するステップと、前記ユーザ端末が近距離無線によりトリガー情報を受信してユーザが停止状態であるかを監視するステップと、前記ユーザ端末がトリガー情報を受信して一定時間内にユーザ停止状態を検知したときに前記情報配信サーバにトリガー情報を送信するステップと、前記情報配信サーバがトリガー情報を受信して対応する配信情報を抽出し、抽出した配信情報を前記ユーザ端末に送信するステップと、前記ユーザ端末が受信した配信情報を表示，再生するステップと、前記トリガー装置が、交通信号が停止信号から他の信号に切り替わったことを検出してトリガー情報の送信を停止するとともに、停止信号終了情報を近距離無線により周辺に送信するステップと、前記ユーザ端末が停止信号終了情報を受信した時点で配信情報の表示，再生を終了するステップとを有する。
【００２０】
本発明の第５の停止時情報配信方法は、交通信号装置と、トリガー装置と、ユーザ端末と、前記ユーザ端末に接続される情報配信サーバとを用いた停止時情報配信方法であって、
前記交通信号装置が、交通信号が停止信号に切り替わったときに停止信号情報を前記トリガー装置に送信するステップと、停止信号情報を受信した前記トリガー装置が近距離無線によりトリガー情報を周辺に送信するステップと、前記ユーザ端末が近距離無線によりトリガー情報を受信してユーザが停止状態であるかを監視するステップと、前記ユーザ端末がトリガー情報を受信して一定時間内にユーザ停止状態を検知したときに前記情報配信サーバにトリガー情報を送信するステップと、前記情報配信サーバがトリガー情報を受信して対応する配信情報を抽出し、抽出した配信情報を前記ユーザ端末に送信するステップと、前記ユーザ端末が受信した配信情報を表示，再生するステップと、前記交通信号装置が、交通信号が停止信号から他の信号に切り替わったときに停止信号終了情報を前記トリガー装置に送信するステップと、停止信号終了情報を受信した前記トリガー装置がトリガー情報の送信を停止するステップとを有する。
【００２１】
本発明の第６の停止時情報配信方法は、交通信号装置と、トリガー装置と、ユーザ端末と、前記ユーザ端末に接続される情報配信サーバとを用いた停止時情報配信方法であって、
前記交通信号装置が、交通信号が停止信号に切り替わったときに停止信号情報を前記トリガー装置に送信するステップと、停止信号情報を受信した前記トリガー装置が近距離無線によりトリガー情報を周辺に送信するステップと、前記ユーザ端末が近距離無線によりトリガー情報を受信してユーザが停止状態であるかを監視するステップと、前記ユーザ端末がトリガー情報を受信して一定時間内にユーザ停止状態を検知したときに前記情報配信サーバにトリガー情報を送信するステップと、前記情報配信サーバがトリガー情報を受信して対応する配信情報を抽出し、抽出した配信情報を前記ユーザ端末に送信するステップと、前記ユーザ端末が受信した配信情報を表示，再生するステップと、前記交通信号装置が、交通信号が停止信号から他の信号に切り替わったときに停止信号終了情報を前記トリガー装置に送信するステップと、停止信号終了情報を受信した前記トリガー装置がトリガー情報の送信を停止するとともに、停止信号終了情報を近距離無線により周辺に送信するステップと、前記ユーザ端末が停止信号終了情報を受信した時点で配信情報の表示，再生を終了するステップとを有することを特徴とする停止時情報配信方法。
【００２２】
本発明の第７の停止時情報配信方法は、本発明の第２〜第６の停止時情報配信方法において、前記ユーザ端末が配信情報受信後にユーザの移動状態を検知した時点で配信情報の表示，再生を終了するステップを、さらに有する。
【００２３】
本発明の第１のプログラムは、近距離無線により送信される第１の外部装置からのトリガー情報を受信してユーザが停止状態であるかを監視する機能、トリガー情報を受信して一定時間内にユーザ停止状態を検知したときに第２の外部装置にトリガー情報を送信する機能、前記第２の外部装置から受信した配信情報を表示，再生する機能、をコンピュータに実現させる。
【００２４】
本発明の第２のプログラムは、本発明の第１のプログラムにおいて、配信情報受信後にユーザの移動状態を検知した時点で配信情報の表示，再生を終了する機能をさらに有する。
【００２５】
本発明の第３のプログラムは、本発明の第１または第２のプログラムにおいて、前記外部装置から終了情報を受信した時点で配信情報の表示，再生を終了する機能をさらに有する。
【発明の効果】
【００２６】
本発明は、ユーザ端末が近距離無線によるトリガー情報を受信し、かつ、トリガー情報の受信から一定時間内にユーザ停止状態が検知されたときに、ユーザに情報を配信するようにしている。これにより、ユーザは待ち時間等の停止状態にあるときに限って配信情報を受信するため、配信情報の閲覧や聴取の確率が増大するという効果が得られる。
【００２７】
また、本発明によれば、ユーザが停止状態から移動状態に変化した場合には、配信情報の表示，再生を自動的に停止するようにしたため、ユーザが停止しているときに限定して配信情報の表示，再生ができるという効果が得られる。
【発明を実施するための最良の形態】
【００２８】
本発明の実施の形態について図面を参照して詳細に説明する。
【００２９】
図１は、本発明の第１の実施の形態の構成を示す図であり、トリガー装置１０と、ユーザ端末２０と、情報配信サーバ３０と、ユーザ端末２０と情報配信サーバ３０とを接続するインターネット等のネットワーク１００とを備えている。
【００３０】
トリガー装置１０は、駅や空港，ホテル等の待合室、ガソリンスタンド、高速道路の料金所等に設置される情報送信装置である。このトリガー装置１０は、トリガー情報（トリガー装置ＩＤ，トリガー識別情報）を常時または所定の時間間隔で、周辺に近距離無線にて送信する機能を備えている。この近距離無線通信手段としては、例えば、ブルートゥース（Bluetooth）を用いる。なお、トリガー装置ＩＤとは、トリガー装置１０毎に予め設
定された固有の識別番号等であり、これにより各トリガー装置１０を一意に識別することが可能なものである。また、トリガー識別情報とは、トリガー装置１０から受信した情報であることをユーザ端末２０が識別するための情報であり、例えば、特定のキーワード等である。
【００３１】
ユーザ端末２０は、携帯電話機，ＰＨＳ（Personal Handyphone System），ＰＤＡ（Personal Digital Assistance）等の携帯情報端末、または、自動車に搭載されたカーナビゲーション装置等の移動情報端末である。携帯情報端末は徒歩や自転車，自動車等で移動中のユーザが用いるユーザ端末２０であり、カーナビゲーション装置はユーザが自動車で移動する場合のユーザ端末２０として用いられる。このユーザ端末２０は、制御部２１と、近距離無線通信部２２と、移動／停止状態検知部２３と、記憶部２４と、表示部２５とを備えている。制御部２１は、ＣＰＵ（Central Processing Unit）等の制御装置であり、プログラムにより動作を制御される。この制御部２１は、
・トリガー装置１０からトリガー情報を受信したときに、一定時間内に移動／停止状態検知部２３がユーザの停止状態を検知したかを監視する機能、
・一定時間内にユーザの停止状態を検知した場合、情報配信サーバ３０にアクセスしてトリガー装置ＩＤを送信する機能、
・情報配信サーバ３０から受信した配信情報を表示，再生する機能、
・ユーザの移動状態を検知した場合、配信情報の表示，再生を終了させる機能、
を備えている。
近距離無線通信部２２は、例えば、ブルートゥースによりトリガー装置１０との間で無線通信を行う通信部である。移動／停止状態検知部２３は、ユーザが移動状態なのか停止状態なのかを検知するセンサであり、例えば、速度センサや加速度センサである。これらのセンサについては公知であり、その詳細を説明するのが本発明の主旨でもないため、説明は省略する。記憶部２４は、図示しないプログラムや情報配信サーバ３０のアドレス等を格納している記憶装置である。表示部２５は、文字や画像等を表示するＬＣＤ(Liquid Crystal Display)等のディスプレイ、または、音声や音楽を出力する出力部である。
【００３２】
情報配信サーバ３０は、ワークステーション・サーバ等の情報処理装置であり、制御部３１と、記憶部３２とを備えている。制御部３１は、ＣＰＵ等の制御装置でありプログラムにより動作を制御される。この制御部３１は、ユーザ端末２０から受信したトリガー装置ＩＤに対応する配信情報を抽出する機能と、抽出した配信情報をユーザ端末２０に送信する機能とを備えている。記憶部３２は、書き込み，読み出し可能な記憶装置であり、トリガー装置データベース３２１と、配信情報データベース３２２とを含んでいる。トリガー装置データベース３２１には、図２（トリガー装置データベース３２１に格納されるデータの一例を示す図）に示すように、トリガー装置１０の設置場所の場所情報（住所、緯度／経度等）がトリガー装置ＩＤ対応に予め登録されている。配信情報データベース３２２には、図３（配信情報データベース３２２に格納されるデータの一例を示す図）に示すように、場所情報（住所、緯度／経度等）対応に配信情報が予め登録されている。この配信情報とは、例えば、場所情報で特定される場所周辺の店舗情報やイベント情報等である。
【００３３】
次に、本発明の第１の実施の形態の動作について図１〜図４を参照して説明する。図４は、本発明の第１の実施の形態の動作を示すフローチャートである。
【００３４】
なお、本実施の形態においては、トリガー装置１０が設置されたガソリンスタンドに、ユーザが給油のために立ち寄った場合を例に説明する。
【００３５】
図４を参照すると、ガソリンスタンドに設置されたトリガー装置１０は、常時または所定の時間間隔で、トリガー装置ＩＤとトリガー識別情報とを近距離無線（例えば、ブルートゥース）により周辺に送信している（ステップＡ１）。
【００３６】
ユーザがガソリンスタンドに到着し、トリガー装置１０からの近距離無線通信の受信範囲に入ると、ユーザ端末２０の近距離無線通信部２２はトリガー装置ＩＤとトリガー識別情報とを受信し、制御部２１に通知する（ステップＡ２）。
【００３７】
制御部２１は、トリガー装置１０からのトリガー識別情報を受信すると、移動／停止状態検知部２３の検知結果を参照し、ユーザが停止状態であるかを監視する。なお、移動／停止状態検知部２３における停止状態の判定は、例えば、速度センサによる速度が０になった場合を停止と判定するが、速度が０でなくても所定値以下になっていれば停止と判断するようにしてもよい。制御部２１は、トリガー装置１０からの情報受信から予め定めた時間内（例えば、３０秒以内）に移動／停止状態検知部２３によるユーザ停止状態の検知情報を受信すると、情報要求可能と判断する。このとき、制御部２１は図示しない時計部を参照して３０秒の時間監視を行う。一方、トリガー装置１０からの情報受信から予め定めた時間内にユーザ停止状態を受信しなかった場合は、制御部２１はユーザが停止状態でないため情報要求不可と判断し、処理を終了する。なお、上記説明において予め定めた時間内としたのは、ユーザ端末２０がトリガー装置１０から情報を受信するタイミングと、ユーザが停止するタイミングとが一致するとは限らないため、これらタイミング間の差を吸収するためである（ステップＡ３）。そして、制御部２１が情報要求可能と判断した場合、情報配信サーバ３０のアドレスを記憶部２４から取得し、情報配信サーバ３０にアクセスしてトリガー装置ＩＤを送信する（ステップＡ４）。
【００３８】
トリガー装置ＩＤを受信した情報配信サーバ３０の制御部３１はトリガー装置データベース３２１を参照し、受信したトリガー装置ＩＤ対応に登録されている場所情報を取得する（図２参照）。そして、制御部３１は、取得した場所情報対応に登録されている配信情報を配信情報データベース３２２から抽出する（図３参照）（ステップＡ５）。次に、制御部３１は、抽出した配信情報をユーザ端末２０に送信する（ステップＡ６）。
【００３９】
配信情報を受信したユーザ端末２０は、表示部２５に配信情報を表示，再生する（ステップＡ７）。この状態で、ユーザ端末２０の制御部２１は移動／停止状態検知部２３の検知結果を監視する。ユーザが給油を終えて移動を再開すると、移動／停止状態検知部２３は移動状態を検知する。この移動状態の検知は、例えば、速度センサによる速度が０でなくなった場合を移動と判定するが、速度が所定値を超えたときに移動と判断するようにしてもよい（ステップＡ８）。移動／停止状態検知部２３が移動状態を検知すると、制御部２１は表示部２５における配信情報の表示，再生を停止する（ステップＡ９）。
【００４０】
以上説明した第１の実施の形態においては、ユーザ端末２０がトリガー装置１０からトリガー情報を受信し、かつ、トリガー情報の受信から一定時間内にユーザ停止状態が検知されたときに、ユーザに情報を配信するようにしている。これにより、ユーザは給油中等の待ち時間や停止状態にあるときに限って配信情報を受信するため、配信情報の閲覧や聴取の確率が増大するという効果が得られる。
【００４１】
また、ユーザが停止状態から移動状態に変化した場合には、配信情報の表示，再生を自動的に停止するようにしたため、ユーザが停止しているときに限定して配信情報の表示，再生ができるという効果が得られる。
【００４２】
次に、本発明の第２の実施の形態について説明する。
【００４３】
上述した第１の実施の形態においては、トリガー装置１０は駅や空港，ホテル等の待合室、ガソリンスタンド、高速道路の料金所等に設置されるものとして説明したが、本実施の形態においては、交通信号装置に設置される。交通信号装置とは、例えば、道路上の交通信号機や踏切の警報機等である。交通信号機は信号が赤になると通過禁止であり、踏切警報機は遮断機が下りた状態や警報音鳴動状態で通過禁止を表している。本実施の形態においては、これら交通信号機や踏切警報機等をトリガー装置１０Ａとして用いている。そして、トリガー情報の送信を、第１の実施の形態では常時または所定の時間間隔で行っていたのを、本実施の形態では交通信号機や踏切警報機等の停止信号時に行うようにした点が異なっている。
【００４４】
以下、本実施の形態の構成，動作について図５および図６を参照して説明する。図５は本発明の第２の実施の形態の構成を示す図であり、図６は本発明の第２の実施の形態の動作を示すフローチャートである。
【００４５】
図５を参照すると、本実施の形態が第１の実施の形態と異なる点は、第１の実施の形態では単独設置型のトリガー装置１０であったのに対し、本実施の形態においてはトリガー装置１０が交通信号機や踏切警報機に含まれた形をとっている点である。そして、トリガー装置１０が含まれた交通信号機や踏切警報機等を、トリガー装置１０Ａとして示している。なお、交通信号機は交通信号の切り替えを制御する交通信号切替機能（赤，青，黄信号の切替等）を備えているが、この交通信号制御機能については公知であり、また、本発明の主旨とするところでもないため説明は省略する。トリガー装置１０Ａは、交通信号の状態（例えば、赤信号，青信号，黄信号等）を監視する交通信号監視機能を有している。交通信号監視機能による監視は、例えば、交通信号制御機能による信号切替時にどの信号に切り替えたかの情報をもらうようにしてもよいし、各信号の出力状態を監視するようにしてもよい。その他のユーザ端末２０や情報配信サーバ３０の構成は、第１の実施の形態と同じである。
【００４６】
次に、本実施の形態の動作について説明する。
【００４７】
図６を参照すると、トリガー装置１０Ａは、交通信号が停止信号（交通信号機では赤信号、踏切警報機では警報鳴動状態または遮断機が下りた状態等）になったかを検出する（ステップＢ１）。
【００４８】
トリガー装置１０Ａは、停止信号になったことを検出すると、トリガー装置ＩＤとトリガー識別情報とを近距離無線（例えば、ブルートゥース）により、周辺に送信する。この送信は、ステップＢ１２で後述するように、停止信号が他の信号（例えば、交通信号機では青信号）になるまで行われる。なお、トリガー装置１０Ａは、停止して並んでいるユーザが受信できるような指向性を持ったアンテナを近距離無線通信手段に備えるものとする（ステップＢ２）。
【００４９】
ユーザが停止信号で止まりトリガー装置１０Ａからの近距離無線通信の受信範囲に入ると、ユーザ端末２０の近距離無線通信部２２はトリガー装置ＩＤとトリガー識別情報とを受信し、制御部２１に通知する（ステップＢ３）。
【００５０】
以下、ステップＢ４〜ステップＢ１０の動作については、図４（第１の実施の形態）のステップＡ３〜ステップＡ９の動作と同じであるため、説明を省略する。
【００５１】
次に、ステップＢ１１〜ステップＢ１２の動作について説明する。
【００５２】
トリガー装置１０Ａは停止信号が終了し他の信号に切り替わったことを検出すると（ステップＢ１１）、トリガー識別情報，トリガー装置ＩＤの近距離無線による送信を停止する（ステップＢ１２）。
【００５３】
以上説明した第２の実施の形態においては、交通信号や踏切の停止信号のときだけトリガー装置１０Ａからトリガー情報を送信するようにしている。これにより、第１の実施の形態に比べ、トリガー装置１０Ａは無駄な送信を排除できるとともに、ユーザにとっても停止時または停止しようとしているときにだけトリガー情報を効率的に受信できるという効果がさらに得られる。
【００５４】
次に、本発明の第３の実施の形態について説明する。
【００５５】
本実施の形態においては、上述した第２の実施の形態に対し、交通信号が停止信号（例えば、赤信号）から他の信号（例えば、青信号）に切り替わったこと、すなわち、停止信号が終了したことをユーザ端末２０に送信する点が追加されている。
【００５６】
以下、本実施の形態の構成，動作について図７および図８を参照して説明する。図７は本発明の第３の実施の形態の構成を示す図であり、図８は本発明の第３の実施の形態の動作を示すフローチャートである。
【００５７】
図７を参照すると、本実施の形態が第２の実施の形態と異なる点は、トリガー装置１０Ｂがユーザ端末２０に対して送信する情報として、停止信号終了情報を加えた点である。この停止信号終了情報は、停止信号が終ったことをユーザ端末２０が識別するための情報であり、例えば、特定のキーワードや信号等である。
【００５８】
次に、本実施の形態の動作について説明する。
【００５９】
図８のステップＣ１〜ステップＣ９の動作については、図６（第２の実施の形態）のステップＢ１〜ステップＢ９の動作と同じであるため説明を省略し、ステップＣ１０以降の動作について説明する。
【００６０】
トリガー装置１０Ｂは、ステップＣ２の後、停止信号が終了したか（例えば、赤信号が青信号に切り替わったか）を監視する（ステップＣ１０）。停止信号が終了した場合、トリガー装置１０Ｂは、トリガー識別情報，トリガー装置ＩＤの送信を停止し、代わりに停止信号終了情報を所定の時間だけ近距離無線により周辺に送信する（ステップＣ１１）。ユーザ端末２０の制御部２１は、ステップＣ９において移動／停止状態検知部２３が移動状態を検知するか、または、トリガー装置１０Ｂから停止信号終了情報を受信することにより、表示部２５における配信情報の表示，再生を停止する（ステップＣ１２）。
【００６１】
以上説明した第３の実施の形態においては、交通信号や踏切の停止信号が終了したときにトリガー装置１０Ｂから停止信号終了情報をユーザ端末２０に送信し、ユーザ端末２０において配信情報の表示，再生を停止するようにしている。これにより、第２の実施の形態に比べ、配信情報の表示，再生を交通信号機等の停止信号時に限定できるという効果がさらに得られる。
【００６２】
次に、本発明の第４の実施の形態について説明する。
【００６３】
上述した第２または第３の実施の形態においては、トリガー装置１０Ａ，１０Ｂを交通信号装置（道路上の交通信号機や踏切の警報機等）内部に含めたが、本実施の形態においては交通信号装置から分離して別装置にした点が異なる。
【００６４】
以下、本実施の形態の構成，動作について図９および図１０を参照して説明する。図９は本発明の第４の実施の形態の構成を示す図であり、図１０は本発明の第４の実施の形態の動作を示すフローチャートである。
【００６５】
図９を参照すると、本実施の形態が第２または第３の実施の形態と異なる点は、トリガー装置１０Ａ，１０Ｂを交通信号装置４０とトリガー装置１０Ｃに分けた点である。そして、トリガー装置１０Ｃを各交通信号装置４０の傍に設置し、両者間をケーブルまたは近距離無線により接続する。ユーザ端末２０および情報配信サーバ３０の構成については第１〜第３の実施の形態と同じであるため、詳細な説明は省略する。
【００６６】
次に、本実施の形態の動作について説明する。
【００６７】
図１０を参照すると、交通信号装置４０は停止信号（例えば、交通信号機では赤信号）に切り替わったかを監視し（ステップＤ１）、停止信号に切り替わった時点で停止信号情報をトリガー装置１０Ｃに送信する。この停止信号情報は、停止信号になったことをトリガー装置１０Ｃが識別するための情報であり、例えば、特定のキーワードや信号等である（ステップＤ２）。停止信号情報を受信したトリガー装置１０Ｃは、トリガー装置ＩＤとトリガー識別情報とを近距離無線により送信する。この送信は、ステップＤ６で後述するように、停止信号（例えば、交通信号機では赤信号）が終了し他の信号（例えば、交通信号機では青信号）に切り替わるまで続けられる（ステップＤ３）。
【００６８】
次に、交通信号装置４０は、停止信号が終了し他の信号に切り替わったことを検出すると（ステップＤ４）、停止信号終了情報をトリガー装置１０Ｃに送信する（ステップＤ５）。停止信号終了情報を受信したトリガー装置１０Ｃは、トリガー識別情報，トリガー装置ＩＤの送信を停止し、代わりに停止信号終了情報を所定の時間だけ近距離無線により周辺に送信する（ステップＤ６）。
【００６９】
なお、上述したステップＤ３に続くユーザ端末２０，情報配信サーバ３０の動作は、図６のステップＢ３〜ステップＢ１０、図８のステップＣ３〜ステップＣ９，Ｃ１２と同じであるため、説明を省略する。同様に、上述したステップＤ６に続くユーザ端末２０の動作は、図８のステップＣ１２と同じであるため、説明を省略する。また、ステップＤ６において、停止信号終了情報を受信したトリガー装置１０Ｃは、停止信号終了情報を近距離無線により周辺に送信せず、単にトリガー識別情報，トリガー装置ＩＤの送信を停止するようにしてもよい。この場合は、ステップＤ６に続くユーザ端末２０の動作はない。
【００７０】
以上説明した第４の実施の形態においては、交通信号装置４０とトリガー装置１０Ｃとを分けたため、第２または第３の実施の形態に比べ、交通信号装置の改造が少なくなるととともに構成が簡素化されるという効果がさらに得られる。
【００７１】
次に、本発明の応用例，変形例等について説明する。
【００７２】
・上述した第１〜第４の実施の形態において、ユーザ端末２０の移動／停止状態検知部２３をユーザ端末２０とは別に設け、ユーザ端末２０との間をケーブルまたは近距離無線通信等で接続するようにしてもよい。
【００７３】
・上述した第１〜第４の実施の形態において（図４のステップＡ９，図６のステップＢ１０，図８のステップＣ１２参照）、表示，再生を強制的に終了させる前に、終了する／しないを表示画面上でユーザに選択させるようにしてもよい。そして、ユーザが終了しない方を選択した場合は表示，再生を継続させ、終了する方を選択した場合は表示，再生を終了する。これにより、興味ある情報を強制的に終了されるのを防止できるという効果が得られる。
【００７４】
・上述した第１〜第４の実施の形態において、ユーザ端末２０が車載ナビゲーション装置の場合は、車載ナビゲーション装置に情報配信サーバ３０を組み込み、ユーザ端末２０と情報配信サーバ３０を一つの装置で構成するようにしてもよい。また、情報配信サーバ３０を車載装置とし、ユーザ端末２０である車載ナビゲーション装置とケーブル等で接続するようにしてもよい。
【００７５】
・上述した第１〜第４の実施の形態において、ユーザ端末２０への配信情報を、トリガー装置１０，１０Ａ，１０Ｂ，１０Ｃの場所情報だけで決定するのではなく、時間帯やユーザ情報にも対応した配信情報としてもよい。この場合、図１１（配信情報データベース３２２に格納されるデータの一例を示す図）に示すように、場所情報，時間帯，ユーザ情報（分野，年令等）と配信情報を対応付けて配信情報データベース３２２に予め登録する。なお、情報配信サーバ３０の制御部３１による時間帯の判定のために、ユーザ端末２０が情報配信サーバ３０にトリガー装置ＩＤを送信するときに、現在時刻情報を併せて送信するものとする。または、情報配信サーバ３０の制御部３１がトリガー装置ＩＤを受信したときに、そのときの時刻を図示しない時計部から取得して時間帯を判定するようにしてもよい。また、ユーザ情報については、ユーザ端末２０が情報配信サーバ３０にトリガー装置ＩＤを送信するときに、ユーザ情報を記憶部２４から取得して併せて送信するものとする。これにより、ユーザは適切な（自分の希望に沿う）情報だけを取得できるという効果がさらに得られる。
【図面の簡単な説明】
【００７６】
【図１】本発明の第１の実施の形態の構成を示す図である。
【図２】トリガー装置データベース３２１に格納されるデータの一例を示す図である。
【図３】配信情報データベース３２２に格納されるデータの一例を示す図である。
【図４】本発明の第１の実施の形態の動作を示すフローチャートである。
【図５】本発明の第２の実施の形態の構成を示す図である。
【図６】本発明の第２の実施の形態の動作を示すフローチャートである。
【図７】本発明の第３の実施の形態の構成を示す図である。
【図８】本発明の第３の実施の形態の動作を示すフローチャートである。
【図９】本発明の第４の実施の形態の構成を示す図である。
【図１０】本発明の第４の実施の形態の動作を示すフローチャートである。
【図１１】配信情報データベース３２２に格納されるデータの一例を示す図である。
【符号の説明】
【００７７】
１０    トリガー装置
２０    ユーザ端末
２１    制御部
２２    近距離無線通信部
２３    移動／停止状態検知部
２４    記憶部
２５    表示部
３０    情報配信サーバ
３１    制御部
３２    記憶部
３２１    トリガー装置データベース
３２２    配信情報データベース
１００    ネットワーク
【図１】
2006268183.tif 000003
【図２】
2006268183.tif 000004
【図３】
2006268183.tif 000005
【図４】
2006268183.tif 000006
【図５】
2006268183.tif 000007
【図６】
2006268183.tif 000008
【図７】
2006268183.tif 000009
【図８】
2006268183.tif 000010
【図９】
2006268183.tif 000011
【図１０】
2006268183.tif 000012
【図１１】
2006268183.tif 000013